(57)【要約】【課題】吸収性物品において、開口とバックシート部材との間の距離を適切な大きさにする。【解決手段】吸収性物品１では、吸収性シート部材２０とバックシート部材２３との間に、開口２５から広がる前部ポケット、後部ポケット、および、一対の側部ポケット２８が形成される。吸収性物品１では、バックシート部材２３のバックシート吸収体２３３に設けられる一対の弱化領域２３６が、吸収性シート部材２０の一対の側部弾性部材２４２に平面視において重なる。ポケットが形成される際には、一対の側部弾性部材２４２が、吸収性シート部材２０に収縮力を作用させることにより、一対の弱化領域２３６においてバックシート部材２３が折れ曲がり、バックシート部材２３の両側部が立ち上がる。これにより、開口２５とバックシート部材２３との間の距離を適切な大きさにすることができる。【選択図】図３
2012200526.tif 000002
【特許請求の範囲】
【請求項１】
着用者からの排泄物を受ける吸収性物品であって、
バックシート部材と、
前記バックシート部材上に重ねられて前記バックシート部材に外縁部が接合されることにより、前記バックシート部材が露出する開口を着用者の股間部に対向する位置に設ける吸収性シート部材と、
を備え、
前記吸収性シート部材が、
前記着用者の前側および後側の一方に配置される吸収コアと、
前記開口が形成されるとともに前記吸収コアを被覆する透液性のコア被覆シートと、
前記開口の左右方向の両側に配置されるとともに前記左右方向に垂直な長手方向において前記コア被覆シートに収縮力を作用させる一対の側部弾性部材と、
を備え、
前記吸収コアと前記バックシート部材との間に前記開口から前記長手方向に広がる主ポケットが形成され、
前記開口の前記左右方向の両側に、前記開口から左右に広がる一対の側部ポケットが前記吸収性シート部材と前記バックシート部材との間に形成され、
前記バックシート部材が、
撥水性または不透液性の外装シートと、
前記外装シートの内側に配置されるバックシート吸収体と、
を備え、
前記バックシート吸収体に、平面視において前記一対の側部弾性部材に重なって前記長手方向に線状または帯状に延びる一対の弱化領域が設けられることを特徴とする吸収性物品。
【請求項２】
請求項１に記載の吸収性物品であって、
前記バックシート吸収体が、高吸収性材料を有し、
前記一対の弱化領域が、高吸収性材料が存在しない領域であることを特徴とする吸収性物品。
【請求項３】
請求項２に記載の吸収性物品であって、
前記バックシート吸収体において、前記一対の弱化領域の間に、前記長手方向に線状または帯状に延びる高吸収性材料が存在しない他の領域がさらに設けられることを特徴とする吸収性物品。
【請求項４】
請求項２または３に記載の吸収性物品であって、
前記バックシート吸収体が、前記高吸収性材料の周囲に親水性繊維を有することを特徴とする吸収性物品。
【請求項５】
請求項２または３に記載の吸収性物品であって、
前記バックシート部材が、前記吸収性シート部材に対向する透液性の内装シートをさらに備え、
前記高吸収性材料が、前記内装シートと前記外装シートとの間に接着剤により直接固定されることを特徴とする吸収性物品。
【請求項６】
請求項１ないし５のいずれかに記載の吸収性物品であって、
前記バックシート部材が、前記一対の弱化領域に重なる一対のバックシート弾性部材をさらに備えることを特徴とする吸収性物品。
【請求項７】
請求項１ないし６のいずれかに記載の吸収性物品であって、
前記吸収性シート部材が、前記開口の前記左右方向の両側に配置される一対の側部吸収コアをさらに備え、
前記一対の側部吸収コアに、前記一対の側部弾性部材に重なる他の一対の弱化領域が設けられることを特徴とする吸収性物品。
【請求項８】
請求項１ないし７のいずれかに記載の吸収性物品であって、
使用前の状態において、両側部が、前記一対の弱化領域にて、前記吸収性シート部材の前記左右方向における中央の領域上へと折り畳まれた状態で収容袋に収容されることを特徴とする吸収性物品。
【発明の詳細な説明】
【技術分野】
【０００１】
本発明は、着用者からの排泄物を受ける吸収性物品に関する。
【背景技術】
【０００２】
従来より、使い捨ておむつ等の吸収性物品では、水分を多く含む軟便が排泄された場合に、軟便が着用者と吸収性物品との間で広がって着用者の肌に広範囲に亘って付着することを防止するため、様々な提案が行われている。
【０００３】
例えば、特許文献１の吸収性物品では、バックシート部材上に開口を有する吸収性シート部材が重ねられ、吸収性シート部材の前部吸収コア、側部吸収コアおよび後部吸収コアとバックシート部材とのそれぞれの間に、開口を通過した排泄物が収容される前部ポケット、側部ポケットおよび後部ポケットが形成される。
【先行技術文献】
【特許文献】
【０００４】
【特許文献１】特開２０１０−２７９５３８号公報
【発明の概要】
【発明が解決しようとする課題】
【０００５】
ところで、特許文献１のような吸収性物品では、バックシート部材の左右両側の側部が、適切な位置で折れ曲がって着用者側へと立ち上がることにより、吸収性シート部材の開口とバックシート部材との間の距離が適切な大きさとなる。仮に、バックシート部材の側部が、所望の位置よりも外側にて折れ曲がると、開口とバックシート部材との間の距離が小さくなり、各ポケットの容量が小さくなってしまう。また、バックシート部材の側部が、所望の位置よりも内側にて折れ曲がると、開口とバックシート部材との間の距離が過剰に大きくなるとともに、バックシート部材の左右方向の中央における平坦部の幅が小さくなってしまい、吸収性物品を使い捨ておむつ等の外装物品の内側に固定することが容易ではなくなるおそれがある。
【０００６】
本発明は、上記課題に鑑みなされたものであり、吸収性物品において、開口とバックシート部材との間の距離を適切な大きさにすることを目的としている。
【課題を解決するための手段】
【０００７】
請求項１に記載の発明は、着用者からの排泄物を受ける吸収性物品であって、バックシート部材と、前記バックシート部材上に重ねられて前記バックシート部材に外縁部が接合されることにより、前記バックシート部材が露出する開口を着用者の股間部に対向する位置に設ける吸収性シート部材とを備え、前記吸収性シート部材が、前記着用者の前側および後側の一方に配置される吸収コアと、前記開口が形成されるとともに前記吸収コアを被覆する透液性のコア被覆シートと、前記開口の左右方向の両側に配置されるとともに前記左右方向に垂直な長手方向において前記コア被覆シートに収縮力を作用させる一対の側部弾性部材とを備え、前記吸収コアと前記バックシート部材との間に前記開口から前記長手方向に広がる主ポケットが形成され、前記開口の前記左右方向の両側に、前記開口から左右に広がる一対の側部ポケットが前記吸収性シート部材と前記バックシート部材との間に形成され、前記バックシート部材が、撥水性または不透液性の外装シートと、前記外装シートの内側に配置されるバックシート吸収体とを備え、前記バックシート吸収体に、平面視において前記一対の側部弾性部材に重なって前記長手方向に線状または帯状に延びる一対の弱化領域が設けられる。
【０００８】
請求項２に記載の発明は、請求項１に記載の吸収性物品であって、前記バックシート吸収体が、高吸収性材料を有し、前記一対の弱化領域が、高吸収性材料が存在しない領域である。
【０００９】
請求項３に記載の発明は、請求項２に記載の吸収性物品であって、前記バックシート吸収体において、前記一対の弱化領域の間に、前記長手方向に線状または帯状に延びる高吸収性材料が存在しない他の領域がさらに設けられる。
【００１０】
請求項４に記載の発明は、請求項２または３に記載の吸収性物品であって、前記バックシート吸収体が、前記高吸収性材料の周囲に親水性繊維を有する。
【００１１】
請求項５に記載の発明は、請求項２または３に記載の吸収性物品であって、前記バックシート部材が、前記吸収性シート部材に対向する透液性の内装シートをさらに備え、前記高吸収性材料が、前記内装シートと前記外装シートとの間に接着剤により直接固定される。
【００１２】
請求項６に記載の発明は、請求項１ないし５のいずれかに記載の吸収性物品であって、前記バックシート部材が、前記一対の弱化領域に重なる一対のバックシート弾性部材をさらに備える。
【００１３】
請求項７に記載の発明は、請求項１ないし６のいずれかに記載の吸収性物品であって、前記吸収性シート部材が、前記開口の前記左右方向の両側に配置される一対の側部吸収コアをさらに備え、前記一対の側部吸収コアに、前記一対の側部弾性部材に重なる他の一対の弱化領域が設けられる。
【００１４】
請求項８に記載の発明は、請求項１ないし７のいずれかに記載の吸収性物品であって、使用前の状態において、両側部が、前記一対の弱化領域にて、前記吸収性シート部材の前記左右方向における中央の領域上へと折り畳まれた状態で収容袋に収容される。
【発明の効果】
【００１５】
本発明では、開口とバックシート部材との間の距離を適切な大きさにすることができる。
【図面の簡単な説明】
【００１６】
【図１】第１の実施の形態に係る吸収性物品の平面図である。
【図２】吸収性物品の断面図である。
【図３】吸収性物品の断面図である。
【図４】吸収性物品の断面図である。
【図５】第２の実施の形態に係る吸収性物品の断面図である。
【発明を実施するための形態】
【００１７】
図１は、本発明の第１の実施の形態に係る吸収性物品１を長手方向（すなわち、図１中の上下方向）に広げた状態にて示す平面図である。吸収性物品１は、着用者が着用する外装物品である使い捨ておむつ等の内側に取り付けられ、着用者からの軟便等の排泄物を受ける補助吸収具である。図１では、着用者に接する面（すなわち、着用者側）を手前側にして吸収性物品１を描いている。
【００１８】
図１に示すように、吸収性物品１は、略シート状の本体部２、および、本体部２の長手方向に垂直な左右方向（本体部２の幅方向であり、図１中の左右方向に一致する。）の両側において長手方向のおよそ全長に亘って設けられた一対のサイドシート３を備える。本体部２の図１中における上側の部位２０１および下側の部位２０３はそれぞれ、着用者の腹側および背側の肌に接する部位であり、以下の説明では、「前方部２０１」および「後方部２０３」と呼ぶ。また、前方部２０１と後方部２０３との間において前方部２０１および後方部２０３から連続するとともに着用者の股間部に対向する部位２０２を「中間部２０２」と呼ぶ。本実施の形態では、本体部２の長手方向のおよそ中央よりも後側（すなわち、図１中の下側）の部位が後方部２０３であり、前側の部位が中間部２０２および前方部２０１である。
【００１９】
吸収性物品１では、本体部２が前方部２０１、中間部２０２および後方部２０３を長手方向に順に有し、前方部２０１および後方部２０３の左右方向の幅が、中間部２０２の幅よりも大きい。換言すれば、本体部２は、平面視においていわゆる砂時計型である。本実施の形態では、後方部２０３の左右方向の幅が、前方部２０１の左右方向の幅よりも大きい。
【００２０】
図２および図３はそれぞれ、吸収性物品１を、図１中に示すＡ−Ａの位置、および、Ｂ−Ｂの位置にて、吸収性物品１の長手方向に垂直な面で切断した断面図であり、図４は、吸収性物品１をＣ−Ｃの位置にて吸収性物品１の左右方向に垂直な面で切断した断面図である。図２は、吸収性物品１の中間部２０２の断面を示し、図３は、吸収性物品１の後方部２０３の断面を示す。吸収性物品１では、前方部２０１の構造、および、後方部２０３の開口２５が設けられていない部位の構造は、左右方向の幅が異なる点を除き、図２に示す中間部２０２の構造とほぼ同様である。
【００２１】
図１ないし図３に示すように、一対のサイドシート３はそれぞれ、本体部２の左右両側部上に接合される帯状の固定部３３、固定部３３の左右方向の内側（すなわち、中央側）にて固定部３３に連続するとともに少なくとも一部が起立するギャザー部３４、および、ギャザー部３４に長手方向に沿って接合される起立ギャザー部弾性部材３２を備える。サイドシート３は、疎水性繊維（例えば、ポリプロピレン、ポリエチレン、ポリエステル、ポリアミド、ナイロン）にて形成された撥水性または不透液性の不織布（例えば、スパンボンド不織布やメルトブロー不織布、ＳＭＳ（スパンボンド・メルトブロー・スパンボンド）不織布）であるサイドシート本体３１を、長手方向に延びる折り曲げ線にて２つ折りにし、折り重ねられた２つの部位の間に起立ギャザー部弾性部材３２を挟むことにより形成される。
【００２２】
起立ギャザー部弾性部材３２は、ギャザー部３４の自由端近傍に接合される。起立ギャザー部弾性部材３２としては、例えば、ポリウレタン糸、帯状のポリウレタンフィルム、糸状または帯状の天然ゴム等が用いられる。本実施の形態では、各起立ギャザー部弾性部材３２は、２本のポリウレタン糸を有する。
【００２３】
ギャザー部３４は、長手方向の両端部にて本体部２上に接合される。吸収性物品１では、起立ギャザー部弾性部材３２が収縮することにより、ギャザー部３４の長手方向の両端部を除く部位３４１（以下、「起立ギャザー部３４１」という。）が、図２および図３に示すように、本体部２の側方において着用者側に向かって起立し、着用時に着用者の足の付け根近傍に当接する立体ギャザーが形成される。
【００２４】
図１ないし図４に示すように、本体部２は、バックシート部材２３、および、バックシート部材２３上（すなわち、バックシート部材２３の着用者側）に重ねられて外縁部がバックシート部材２３に接合される吸収性シート部材２０を備える。図１および図３に示すように、吸収性シート部材２０の後方部２０３には、着用者の股間部および臀部に対向する位置に開口２５が形成される。開口２５の左右方向の幅は、吸収性物品１の幅よりも小さく、本実施の形態では、吸収性物品１を長手方向に広げた状態において一対のサイドシート３の自由端間の距離よりも小さい。バックシート部材２３は、吸収性シート部材２０の開口２５から露出して着用者の股間部および臀部に直接対向する露出領域２３０を有する。開口２５の左右両側では、一対の起立ギャザー部３４１が吸収性シート部材２０の左右両側部上において長手方向に延びる。
【００２５】
吸収性シート部材２０は、図１に示すように、吸収性物品１の着用時に着用者の前側（腹側）から股間部にかけて配置される前部吸収コア２２１、開口２５の左右方向の両側に配置される一対の側部吸収コア２２２、および、着用者の後側に配置される後部吸収コア２２３を備える。前部吸収コア２２１の長手方向の長さは、後部吸収コア２２３の長手方向の長さよりも大きい。前部吸収コア２２１、一対の側部吸収コア２２２および後部吸収コア２２３は、吸収性シート部材２０の長手方向（バックシート部材２３の長手方向でもある。）に連続して一体的に形成されており、開口２５を囲む。
【００２６】
以下の説明では、前部吸収コア２２１、一対の側部吸収コア２２２および後部吸収コア２２３をまとめて、「吸収コア２２」ともいう。図１中では、図の理解を容易にするために、吸収コア２２の輪郭を太い破線にて描く。前方部２０１および後方部２０３における吸収コア２２の左右方向の幅は、中間部２０２における吸収コア２２の幅よりも大きい。換言すれば、吸収コア２２は、平面視においていわゆる砂時計型である。本実施の形態では、後方部２０３における吸収コア２２の幅が、前方部２０１における吸収コア２２の幅よりも大きい。
【００２７】
吸収性シート部材２０は、また、図２ないし図４に示すように、吸収コア２２の上面および下面（すなわち、前部吸収コア２２１、側部吸収コア２２２および後部吸収コア２２３のそれぞれの着用者側およびバックシート部材２３側）を被覆する透液性のコア被覆シート２１を備える。コア被覆シート２１には、上述の開口２５が形成される。コア被覆シート２１は、吸収コア２２の上面を覆う第１被覆シート２１１、および、吸収コア２２の下面を覆う第２被覆シート２１２を備える。第２被覆シート２１２は、吸収コア２２の下面全体を覆う１枚の不織布と、一対の側部吸収コア２２２の下側にて当該１枚の不織布に積層される他の不織布とを備える。第２被覆シート２１２は、吸収コア２２の下面全体を覆う２層の不織布を備えていてもよい。
【００２８】
吸収コア２２は、粉砕したパルプ繊維やセルロース繊維等の親水性繊維に高吸収性材料（例えば、ＳＡＰ（Super Absorbent Polymer）やＳＡＦ（Super Absorbent Fiber））を混合したものをティッシュペーパーや透液性不織布等により包み込んで形成され、コア被覆シート２１を透過した水分を吸収して迅速に固定する。親水性繊維を包むティッシュペーパーや透液性不織布等は、親水性繊維および吸水性ポリマーとホットメルト接着剤により接合されて、親水性繊維の型崩れ、および、吸水性ポリマーの脱落（特に、吸水後における脱落）を防止する。本実施の形態では、吸収コア２２はパルプ繊維および粒状のＳＡＰを含む。
【００２９】
コア被覆シート２１は、透液性のシート材料であり、着用者からの排泄物の水分を速やかに捕捉して吸収コア２２へと移動させる。コア被覆シート２１としては、例えば、表面を界面活性剤により親水処理した疎水性繊維（ポリプロピレン、ポリエチレン、ポリエステル、ポリアミド、ナイロン等）にて形成された透液性の不織布（ポイントボンド不織布やエアスルー不織布、スパンボンド不織布等）が利用される。なお、コア被覆シート２１として、セルロースやレーヨン、コットン等の親水性繊維により形成された不織布（例えば、スパンレース不織布）が利用されてもよい。
【００３０】
図１に示すように、前部吸収コア２２１の開口２５近傍のコアエッジ２２１１、および、開口２５の前部吸収コア２２１側の前部エッジ２５２は、左右方向の中央にて長手方向に凹状となる（すなわち、後部吸収コア２２３から離れる方向に凹状となる）凹状部を有する。また、後部吸収コア２２３の開口２５近傍のコアエッジ２２３１、および、開口２５の後部吸収コア２２３側の後部エッジ２５３も、左右方向の中央にて長手方向に凹状となる（すなわち、前部吸収コア２２１から離れる方向に凹状となる）凹状部を有する。なお、前部吸収コア２２１のコアエッジ２２１１、および、後部吸収コア２２３のコアエッジ２２３１はそれぞれ、開口２５の前部エッジ２５２および後部エッジ２５３に重なっていてもよい。換言すれば、前部吸収コア２２１のコアエッジ２２１１、および、後部吸収コア２２３のコアエッジ２２３１は開口２５に接していてもよい。
【００３１】
吸収性シート部材２０は、左右方向の中央領域において長手方向に沿って前部吸収コア２２１に接合される前部吸収コア弾性部材２４１を備える。吸収性シート部材２０では、前部吸収コア弾性部材２４１が収縮することにより前部吸収コア２２１に長手方向の収縮力が作用する。前部吸収コア２２１には、上記中央領域においてコアエッジ２２１１から長手方向に沿って延びるスリット２２１２（すなわち、前部吸収コア２２１においてパルプ繊維やＳＡＰが存在しない線状または帯状の領域）が形成されており、スリット２２１２は前部吸収コア弾性部材２４１に重なる。したがって、前部吸収コア弾性部材２４１は、正確には、前部吸収コア２２１が設けられる領域において、前部吸収コア２２１の上面および下面を被覆する第１被覆シート２１１および第２被覆シート２１２に接合される（図２参照）。
【００３２】
前部吸収コア２２１では、スリット２２１２が、周囲の部位よりも剛性が低く、折れ曲がりやすい（すなわち、折り曲げに対する抵抗が小さい）線状または帯状の弱化領域として設けられるが、スリット２２１２に代えて、周囲の部位よりもパルプ繊維等の厚さが薄い、あるいは、パルプ繊維等の密度が低い線状または帯状の弱化領域が設けられ、当該弱化領域が、前部吸収コア弾性部材２４１に重ねられてもよい。なお、後部吸収コア２２３においても、前部吸収コア２２１と同様に、左右方向の中央領域において長手方向に延びるスリット等の線状または帯状の弱化領域、および、当該弱化領域に重なる後部吸収コア弾性部材が設けられてもよい。
【００３３】
吸収性シート部材２０は、また、図１および図３に示すように、開口２５の左右方向の両側に長手方向に沿って配置される二対の側部弾性部材２４２，２４４を備える。以下の説明では、左右方向の内側（すなわち、開口２５に近い中央側）に位置する一対の側部弾性部材２４２を、「第１側部弾性部材２４２」と呼び、左右方向の外側（すなわち、開口２５から遠い側）に位置する一対の側部弾性部材２４４を、「第２側部弾性部材２４４」と呼ぶ。第１側部弾性部材２４２および第２側部弾性部材２４４としては、例えば、ポリウレタン糸、帯状のポリウレタンフィルム、糸状または帯状の天然ゴム等が用いられる。本実施の形態では、各第１側部弾性部材２４２は２本のポリウレタン糸を有し、各第２側部弾性部材２４４も２本のポリウレタン糸を有する。
【００３４】
吸収性シート部材２０では、第１側部弾性部材２４２および第２側部弾性部材２４４が収縮することにより、側部吸収コア２２２、および、側部吸収コア２２２を被覆するコア被覆シート２１に、長手方向の収縮力が作用する。図１に示すように、第１側部弾性部材２４２および第２側部弾性部材２４４の長手方向の長さは、側部吸収コア２２２の長手方向の長さ、すなわち、前部吸収コア２２１の凹状部の後端と後部吸収コア２２３の凹状部の前端との間の長手方向の距離におよそ等しい。
【００３５】
図３に示すように、一対の側部吸収コア２２２には、一対の第１側部弾性部材２４２に重なって長手方向に沿って延びる一対のスリット２２２１（すなわち、側部吸収コア２２２においてパルプ繊維やＳＡＰが存在しない線状または帯状の領域）が設けられる。第１側部弾性部材２４２は、側部吸収コア２２２が設けられる領域において、第２被覆シート２１２の２層の不織布の間に接合される。
【００３６】
側部吸収コア２２２では、スリット２２２１が、周囲の部位よりも剛性が低く、折れ曲がりやすい（すなわち、折り曲げに対する抵抗が小さい）線状または帯状の弱化領域として設けられるが、スリット２２２１に代えて、周囲の部位よりもパルプ繊維等の厚さが薄い、あるいは、パルプ繊維等の密度が低い線状または帯状の弱化領域が設けられ、当該弱化領域が、第１側部弾性部材２４２に重ねられてもよい。
【００３７】
第２側部弾性部材２４４は、側部吸収コア２２２のバックシート部材２３に対向する面に配置される。第２側部弾性部材２４４は、第２被覆シート２１２の２層の不織布の間に伸張状態にて接合される。
【００３８】
バックシート部材２３は、図２ないし図４に示すように、撥水性または不透液性の外装シート２３１、外装シート２３１の内側（すなわち、外装シート２３１の着用者側）に配置されるバックシート吸収体２３３、および、バックシート吸収体２３３の内側に配置されて吸収性シート部材２０に対向する内装シート２３２を備える。
【００３９】
外装シート２３１としては、疎水性繊維（例えば、ポリプロピレン、ポリエチレン、ポリエステル、ポリアミド、ナイロン）にて形成された撥水性または不透液性の不織布（例えば、スパンボンド不織布やメルトブロー不織布、ＳＭＳ不織布）や、撥水性または不透液性のプラスチックフィルム、あるいは、これらの不織布とプラスチックフィルムとが積層された積層シートが利用され、バックシート部材２３に到達した排泄物の水分等が、本体部２の外側にしみ出すのを防止する。外装シート２３１にプラスチックフィルムが利用される場合、吸収性物品１のムレを防止して着用者の快適性を向上するという観点からは、透湿性（通気性）を有するプラスチックフィルムが利用されることが好ましい。
【００４０】
内装シート２３２としては、好ましくは、セルロースやレーヨン、コットン等の親水性繊維により形成された不織布（例えば、スパンレース不織布）、あるいは、表面を界面活性剤により親水処理した疎水性繊維（例えば、ポリプロピレン、ポリエチレン、ポリエステル、ポリアミド、ナイロン）にて形成された透液性の不織布が利用される。
【００４１】
バックシート吸収体２３３は、内装シート２３２に対向する略シート状の第１吸収体２３４、および、第１吸収体２３４の外側にて外装シート２３１に対向する略シート状の第２吸収体２３５を備える。第１吸収体２３４は、２枚のシート、および、当該２枚のシートの間に設けられた高吸収性材料層を備える。第１吸収体２３４の２枚のシートの間には、粉砕したパルプ繊維やセルロース繊維等の親水性繊維による吸収層は設けられない。高吸収性材料層は、高吸収性材料が長手方向に延びるストライプ状に配置されて、ホットメルト接着剤等により２枚のシートに接合されることにより形成される。本実施の形態では、高吸収性材料としてＳＡＰが利用される。
【００４２】
図２および図３に示すように、第１吸収体２３４の高吸収性材料層では、高吸収性材料が存在する領域２３４１と、高吸収性材料が存在しない領域２３４２とが、左右方向に交互に配置される。各領域２３４１，２３４２は、長手方向に延びる線状または帯状である。以下の説明では、領域２３４１を「ＳＡＰ存在領域２３４１」と呼び、領域２３４２を「ＳＡＰ非存在領域２３４２」と呼ぶ。図２および図３では、図示の都合上、第１吸収体２３４のＳＡＰ存在領域２３４１を太実線にて示し、ＳＡＰ非存在領域２３４２を細実線にて示す。
【００４３】
第２吸収体２３５は、粉砕したパルプ繊維やセルロース繊維等の親水性繊維をティッシュペーパーや透液性不織布等により包み込んで形成される。本実施の形態では、第２吸収体２３５はパルプ繊維を含む。第２吸収体２３５には、左右両側の側端部近傍において長手方向に沿って延びる一対のスリット２３５１（すなわち、パルプ繊維が存在しない線状または帯状の領域）が設けられる。一対のスリット２３５１は、第１吸収体２３４の複数のＳＡＰ非存在領域２３４２のうち、左右方向の最も外側に位置する（すなわち、中央から最も離れた位置に配置された）一対のＳＡＰ非存在領域２３４２に平面視において重なる。
【００４４】
バックシート吸収体２３３では、第１吸収体２３４の一対のＳＡＰ非存在領域２３４２と、第２吸収体２３５の一対のスリット２３５１とが重なる線状または帯状の領域は、高吸収性材料および親水性繊維が存在しない領域であり、周囲の部位よりも剛性が低く、折れ曲がりやすい（すなわち、折り曲げに対する抵抗が小さい）一対の弱化領域２３６となっている。長手方向に延びる一対の弱化領域２３６の間には、上述のように、左右方向に配列される複数のＳＡＰ非存在領域２３４２が設けられる。弱化領域２３６は、バックシート吸収体２３３の略全長に亘って設けられる。なお、第２吸収体２３５では、スリット２３５１に代えて、周囲の部位よりも親水性繊維の厚さが薄い、あるいは、親水性繊維の密度が低い領域が設けられてもよい。この場合も、当該領域と第１吸収体２３４のＳＡＰ非存在領域２３４２とが重なる領域が、弱化領域２３６となる。
【００４５】
バックシート部材２３は、平面視において一対の弱化領域２３６に重なって長手方向に延びる一対のバックシート弾性部材２３７をさらに備える。バックシート弾性部材２３７は、外装シート２３１と第２吸収体２３５との間に配置されて外装シート２３１および第２吸収体２３５に接合される。バックシート弾性部材２３７は、バックシート吸収体２３３のおよそ全長に亘って設けられる。バックシート弾性部材２３７が収縮することにより、バックシート部材２３の弱化領域２３６および弱化領域２３６近傍の部位に、長手方向の収縮力が作用する。バックシート弾性部材２３７としては、例えば、ポリウレタン糸、帯状のポリウレタンフィルム、糸状または帯状の天然ゴム等が用いられる。本実施の形態では、各バックシート弾性部材２３７が１本のポリウレタン糸を有する。
【００４６】
吸収性物品１では、上述のように、吸収性シート部材２０の外縁部がバックシート部材２３に接合され、吸収コア２２のバックシート部材２３と対向する面がバックシート部材２３と非接合とされる。これにより、図２および図４に示すように、前部吸収コア２２１とバックシート部材２３との間（すなわち、吸収性シート部材２０の前部吸収コア２２１に対応する部位とバックシート部材２３との間）に、開口２５から長手方向の前側に広がる前部ポケット２６が形成される。また、図３に示すように、一対の側部吸収コア２２２とバックシート部材２３との間に、開口２５から左右方向に広がる一対の側部ポケット２８が形成される。さらに、図４に示すように、前部ポケット２６と同様に、後部吸収コア２２３とバックシート部材２３との間に、開口２５から長手方向の後側に広がる後部ポケット２７が形成される。開口２５の左右方向の両側に配置される一対の側部ポケット２８は、前部ポケット２６および後部ポケット２７と連続している。
【００４７】
図１に示す吸収性物品１では、着用者から排泄された軟便等の排泄物が、開口２５を介してバックシート部材２３へと向かい、バックシート部材２３の露出領域２３０にて受けられる。露出領域２３０にて受けられた排泄物は、前部ポケット２６、側部ポケット２８および後部ポケット２７の内部空間へと移動して収容される。本実施の形態では、開口２５が吸収性シート部材２０の長手方向の中央よりも後側に設けられており、上述のように、前部吸収コア２２１が後部吸収コア２２３よりも長くなっている。このため、前部ポケット２６の長手方向の長さが後部ポケット２７の長手方向の長さよりも大きくなり、前部ポケット２６が、排泄物を主に収容する主ポケットとなる。以下の説明では、前部ポケット２６、側部ポケット２８および後部ポケット２７をまとめて、単に「ポケット」と呼ぶ。
【００４８】
吸収性物品１においてポケットが形成される際には、バックシート部材２３の左右両側の側部が折れ曲がって着用者側へと立ち上がることにより、吸収性シート部材２０が、外縁部を除いてバックシート部材２３から離間する。吸収性物品１では、図３に示すように、ポケットが形成される際に、バックシート吸収体２３３に設けられる一対の弱化領域２３６が、吸収性シート部材２０の一対の側部弾性部材２４２に平面視において重なる。そして、一対の側部弾性部材２４２が、吸収性シート部材２０に収縮力を作用させることにより、一対の側部弾性部材２４２に対向する位置に配置された一対の弱化領域２３６においてバックシート部材２３が容易に折れ曲がり、バックシート部材２３の両側部が立ち上がる。これにより、開口２５とバックシート部材２３との間の距離を適切な大きさにすることができる。その結果、吸収性物品１では、排泄物をポケットに確実に収容して保持することができ、排泄物が着用者の肌に広範囲に亘って付着することが防止される。また、バックシート部材２３の両側部の間における略平坦な部位の幅を確保することができるため、吸収性物品１を使い捨ておむつ等の外装物品の内側に容易かつ強固に固定することができる。
【００４９】
このように、吸収性物品１は、着用者の肌の比較的狭い範囲のみを覆うにも拘わらず排泄物を確実に収容して保持することができるため、使い捨ておむつ等の外装物品の内側に取り付けられて容易に交換可能な補助吸収具に特に適している。
【００５０】
吸収性物品１の着用者は、仰臥位や側臥位または座位等の体位を取ることが多いため、着用者の前側には体圧がほとんど加わらない。吸収性物品１では、上述のように、着用者の前側に配置される前部吸収コア２２１とバックシート部材２３との間に形成された前部ポケット２６が、排泄物を主に収容する主ポケットとされる。したがって、吸収性物品１は、仰臥位や側臥位または座位等、様々な体位を取る着用者からの排泄物の収容に特に適している。
【００５１】
吸収性物品１では、バックシート部材２３が、一対の弱化領域２３６に重なる一対のバックシート弾性部材２３７を備えることにより、弱化領域２３６にてより折れ曲がりやすくなる。また、一対の側部吸収コア２２２に、一対の第１側部弾性部材２４２に重なる一対のスリット２２２１が設けられることにより、バックシート部材２３が、弱化領域２３６にてさらに折れ曲がりやすくなる。
【００５２】
吸収性物品１では、バックシート吸収体２３３の第１吸収体２３４において、ＳＡＰ存在領域２３４１とＳＡＰ非存在領域２３４２とが左右方向において交互に配置される。これにより、ＳＡＰが水分を吸収して膨潤した状態でも、ＳＡＰ非存在領域２３４２を介して水分が長手方向および第２吸収体２３５へと容易に到達することができる。このように、第１吸収体２３４によるゲルブロッキングが防止されることにより、バックシート吸収体２３３において水分を確実に保持することができる。また、複数のＳＡＰ非存在領域２３４２のうち、左右方向の最も外側に位置する一対のＳＡＰ非存在領域２３４２が、弱化領域２３６として利用されることにより、第１吸収体２３４に特別な構造を設けることなく、バックシート部材２３を適切な位置で折り曲げて両側部を立ち上げることができる。
【００５３】
バックシート部材２３では、親水性繊維を有する第２吸収体２３５の内側に、高吸収性材料を含む第１吸収体２３４が積層されることによりバックシート吸収体２３３が形成される。このように、バックシート吸収体２３３が、高吸収性材料の周囲に親水性繊維を有することにより、バックシート部材２３の吸収力を増大させることができる。
【００５４】
吸収性物品１は、使用前の状態において、吸収性シート部材２０およびバックシート部材２３の両側部が、一対の弱化領域２３６にて、吸収性シート部材２０の左右方向における中央の領域上へと折り畳まれた状態（すなわち、両側部が一対の弱化領域２３６にて着用者側に折り返された状態）で収容袋に収容される。このため、一対の弱化領域２３６の位置にてバックシート部材２３に折り癖が付き、ポケットが形成される際に、バックシート部材２３が弱化領域２３６にてより一層折れ曲がりやすくなる。
【００５５】
次に、本発明の第２の実施の形態に係る吸収性物品１ａについて説明する。図５は、吸収性物品１ａの後方部２０３の開口２５が設けられた位置における断面図であり、図３に対応する。吸収性物品１ａでは、図３に示すバックシート吸収体２３３とは構造が異なるバックシート吸収体２３３ａを備える点を除き、図１ないし図４に示す吸収性物品１と同様の構造を有する。以下の説明では、吸収性物品１の各構成に対応する吸収性物品１ａの構成に同符号を付す。
【００５６】
図５に示すように、バックシート吸収体２３３ａは、略シート状の第１吸収体２３４を備え、粉砕したパルプ繊維やセルロース繊維等の親水性繊維を含まない。第１吸収体２３４は、上述のように、２枚のシート、および、当該２枚のシートの間にホットメルト接着剤等により接合された高吸収性材料を備える。第１吸収体２３４の２枚のシートはそれぞれ、内装シート２３２および外装シート２３１に当接しており、内装シート２３２および外装シート２３１の一部と見なすことができる。この場合、第１吸収体２３４の高吸収性材料は、内装シート２３２と外装シート２３１との間において、ホットメルト接着剤等の接着剤により、内装シート２３２および外装シート２３１に直接固定されていると捉えられる。
【００５７】
バックシート吸収体２３３ａでは、第１吸収体２３４の左右方向の最も外側に位置する一対のＳＡＰ非存在領域２３４２が、ポケットが形成される際に、平面視において一対の側部弾性部材２４２に重なって長手方向に線状または帯状に延びる一対の弱化領域２３６となる。そして、一対の側部弾性部材２４２が、吸収性シート部材２０に収縮力を作用させることにより、第１の実施の形態と同様に、一対の弱化領域２３６においてバックシート部材２３が容易に折れ曲がり、バックシート部材２３の両側部が立ち上がる。これにより、開口２５とバックシート部材２３との間の距離を適切な大きさにすることができる。また、バックシート吸収体２３３ａは、上述のように、粉砕したパルプ繊維やセルロース繊維等の親水性繊維を実質的に含まないため、ポケットが形成される際に、バックシート部材２３が一対の弱化領域２３６にてさらに折れ曲がりやすくなる。
【００５８】
以上、本発明の実施の形態について説明してきたが、本発明は上記実施の形態に限定されるものではなく、様々な変更が可能である。
【００５９】
例えば、第１の実施の形態に係る吸収性物品１では、バックシート吸収体２３３から第１吸収体２３４が省略されてもよい。この場合、第２吸収体２３５に設けられた一対のスリット２３５１が、バックシート吸収体２３３の一対の弱化領域２３６となる。また、バックシート部材２３では、内装シート２３２が省略されてもよい。
【００６０】
第１の実施の形態に係る吸収性物品１のバックシート部材２３では、親水性繊維を有する第２吸収体２３５の内側に、高吸収性材料を含む第１吸収体２３４が積層されることによりバックシート吸収体２３３が形成されるが、第１吸収体２３４は第２吸収体２３５の外側（すなわち、第２吸収体２３５と外装シート２３１との間）に配置されてもよい。また、バックシート吸収体２３３は、吸収コア２２と同様に、親水性繊維に高吸収性材料を混合したものをティッシュペーパーや透液性不織布等により包み込んで形成されてもよい。このように、バックシート吸収体２３３が、高吸収性材料の周囲にパルプを有することにより、バックシート部材２３の吸収力を増大させることができる。
【００６１】
第２の実施の形態に係る吸収性物品１ａでは、第１吸収体２３４に代えて、外装シート２３１上に塗布されたホットメルト接着剤等の上にＳＡＰ等の高吸収性材料を散布し、外装シート２３１の内側に内装シート２３２を積層し、内装シート２３２と外装シート２３１とを当該ホットメルト接着剤等により接合することにより、高吸収性材料が、内装シート２３２と外装シート２３１との間に直接固定されてもよい。
【００６２】
上記実施の形態に係る吸収性物品では、前部吸収コア２２１、一対の側部吸収コア２２２および後部吸収コア２２３がそれぞれ個別に形成され、開口２５を形成するように隣接して配置されて（すなわち、コア被覆シート２１の開口の周囲に配置されて）コア被覆シート２１により被覆されてもよい。また、吸収コア２２は必ずしもパルプ繊維等の親水性繊維を含む必要はなく、不織布やプラスチックフィルム上にホットメルト接着剤等によりＳＡＰが直接接合されたものが吸収コア２２として利用されてもよい。
【００６３】
上記実施の形態に係る吸収性物品では、側部吸収コア２２２が省略されてもよい。この場合、第２被覆シート２１２は全体に亘って１層とされ、第１側部弾性部材２４２および第２側部弾性部材２４４が、コア被覆シート２１の第１被覆シート２１１と第２被覆シート２１２との間に接合されてもよい。第１側部弾性部材２４２および第２側部弾性部材２４４は、コア被覆シート２１に収縮力を作用させる。また、コア被覆シート２１は、２つ折りにされた１枚のシート部材であってもよい。この場合、当該シート部材の吸収コア２２の着用者側を覆う部位が第１被覆シート２１１に相当し、吸収コア２２のバックシート部材２３側を覆う部位が第２被覆シート２１２に相当する。なお、コア被覆シート２１は、少なくとも吸収コア２２の着用者側を覆っていればよい。
【００６４】
吸収性物品では、排泄物の収容力を大きくするためには、吸収性シート部材２０とバックシート部材２３との間に前部ポケット２６、側部ポケット２８および後部ポケット２７が設けられることが好ましい。ただし、排泄物の収容力が十分確保されるのであれば、主ポケットである前部ポケット２６、および、一対の側部ポケット２８のみが吸収性シート部材２０とバックシート部材２３との間に設けられ、後部ポケット２７は省略されてもよい。後部ポケット２７が設けられない場合、吸収性シート部材２０の開口２５よりも後側の部位は、およそ全面に亘ってバックシート部材２３に接合される。なお、この場合、吸収性シート部材２０から後部吸収コア２２３が省略されてもよい。
【００６５】
一方、吸収性物品が、腹臥位等、前側に体圧が加わりやすい体位を取ることが多い着用者に使用される場合、後部吸収コア２２３とバックシート部材２３との間に形成される後部ポケット２７が主ポケットとされてもよい。後部ポケット２７が主ポケットとされる場合、前部ポケット２６や前部吸収コア２２１は省略されてもよい。換言すれば、吸収コア２２は、少なくとも、着用者の前側および後側の一方に配置されてバックシート部材２３との間で主ポケットを形成する部位を備えていればよい。
【００６６】
吸収コア２２および本体部２の平面視における形状は、必ずしも砂時計型である必要はなく、例えば、略矩形であってもよい。また、前方部および後方部の一方のみの幅が大きく、他方および中間部の幅が小さい、いわゆる羽子板型であってもよい。
【００６７】
上述の吸収性物品の構造は、外装物品の内側に取り付けられる補助吸収具以外にも、例えば、上端に胴部開口を有し、下部に一対の脚部開口を有するパンツタイプの使い捨ておむつや、着用者の腹側に当接する部位と背側に当接する部位とをテープ部材にて腰回りで止着して着用するテープタイプの使い捨ておむつに適用されてよい。
【００６８】
上記実施の形態および各変形例における構成は、相互に矛盾しない限り適宜組み合わせられてよい。
【符号の説明】
【００６９】
１，１ａ    吸収性物品
２０    吸収性シート部材
２１    コア被覆シート
２２    吸収コア
２３    バックシート部材
２５    開口
２６    前部ポケット
２７    後部ポケット
２８    側部ポケット
２２１    前部吸収コア
２２２    側部吸収コア
２２３    後部吸収コア
２３１    外装シート
２３２    内装シート
２３３，２３３ａ    バックシート吸収体
２３４    第１吸収体
２３５    第２吸収体
２３６    弱化領域
２３７    バックシート弾性部材
２４２    第１側部弾性部材
２２２１    スリット
２３４２    ＳＡＰ非存在領域
２３５１    スリット
【図１】
2012200526.tif 000003
【図２】
2012200526.tif 000004
【図３】
2012200526.tif 000005
【図４】
2012200526.tif 000006
【図５】
2012200526.tif 000007